(57)【要約】  外科用ナビゲーションシステム（１００）は、本体（１２）と、遠位シャフト端部（１６）を有するシャフト（１４）と、光導管（２８）と、可動光学素子（３２）と、を有する内視鏡（１０）を含む。可動光学素子は、視線を画定する視野を提供するように構成され、視野内の画像をキャプチャするように動作可能である。システムは、移動可能な光学素子を移動させて視線の方向を調整するように動作可能な駆動機構（７０）と、患者内の遠位シャフト端部の位置に対応する信号を生成するように動作可能なナビゲーションセンサ（４０、４２）と、プロセッサ（１０８）と、を更に含む。プロセッサは、信号に基づいて患者内の遠位シャフト端部の位置を決定し、視線が患者内の選択された対象点に向けて方向付けられるように可動光学素子を位置付けるため、駆動機構に命令するように動作可能である。
2021525613.tif 000002
【特許請求の範囲】
【請求項１】
外科用ナビゲーションシステムであって、
（ａ）内視鏡であって、前記内視鏡は、
（ｉ）本体と、
（ｉｉ）前記本体から遠位方向に延在し、遠位シャフト端部を有する、シャフトと、
（ｉｉｉ）前記シャフトを通って遠位方向に延在する光導管であって、前記光導管は、画像を光学的に送信するように動作可能である、光導管と、
（ｉｖ）前記遠位シャフト端部に配置された可動光学素子であって、前記可動光学素子は、視線を画定する視野を提供するように構成されており、前記可動光学素子は、前記視野内の画像をキャプチャし、前記画像を前記光導管へと近位方向に送信して、ユーザによる前記画像の可視化を可能にするように動作可能である、可動光学素子と、を含む、内視鏡と、
（ｂ）前記内視鏡と連結された駆動機構であって、前記駆動機構は、前記可動光学素子を前記シャフトに対して移動させて、前記視線の方向を調整するように動作可能である、駆動機構と、
（ｃ）前記内視鏡に動作可能に関連付けられたナビゲーションセンサであって、前記ナビゲーションセンサは、患者内の前記遠位シャフト端部の位置に対応する信号を生成するように動作可能である、ナビゲーションセンサと、
（ｄ）プロセッサであって、前記プロセッサは、前記ナビゲーションセンサ及び前記駆動機構と通信する、プロセッサと、を備え、
前記プロセッサは、前記ナビゲーションセンサから受信した前記信号に基づいて、前記患者内の前記遠位シャフト端部の位置を決定するように動作可能であり、
前記プロセッサは、前記視線が前記患者内の選択された対象点に向けて方向付けられるように前記可動光学素子を位置付けるため、前記駆動機構に命令するように更に動作可能である、外科用ナビゲーションシステム。
【請求項２】
前記シャフトが剛性である、請求項１に記載の外科用ナビゲーションシステム。
【請求項３】
前記内視鏡が、前記遠位シャフト端部に配置された窓を更に含み、前記内視鏡は、前記窓を通して前記画像をキャプチャするように動作可能である、請求項１に記載の外科用ナビゲーションシステム。
【請求項４】
前記内視鏡がレンズを更に含み、前記レンズは、前記可動光学素子と前記光導管の遠位端との間に配置されている、請求項１に記載の外科用ナビゲーションシステム。
【請求項５】
前記可動光学素子が、長手方向シャフト軸に対して横方向に延在する枢動軸を中心に枢動するように構成されている、請求項１に記載の外科用ナビゲーションシステム。
【請求項６】
前記駆動機構が、第１のアクチュエータ及び第２のアクチュエータを含み、前記第１のアクチュエータは、前記可動光学素子を前記本体に対して前記シャフト軸を中心に回転させるように動作可能であり、前記第２のアクチュエータは、前記可動光学素子を前記シャフトに対して前記枢動軸を中心に枢動させるように動作可能である、請求項５に記載の外科用ナビゲーションシステム。
【請求項７】
前記シャフトが、前記本体に対して前記シャフト軸を中心に回転可能であり、前記第１のアクチュエータは、前記シャフトを前記本体に対して回転させ、それによって、前記可動光学素子及び前記視野を、前記シャフト軸を中心に回転させるように動作可能である、請求項６に記載の外科用ナビゲーションシステム。
【請求項８】
前記第１のアクチュエータが第１のモーターを含み、前記第２のアクチュエータが第２のモーターを含む、請求項６に記載の外科用ナビゲーションシステム。
【請求項９】
前記ナビゲーションセンサが電磁センサを含む、請求項１に記載の外科用ナビゲーションシステム。
【請求項１０】
前記電磁センサが導電性コイルを含む、請求項９に記載の外科用ナビゲーションシステム。
【請求項１１】
前記外科用ナビゲーションシステムが、前記プロセッサと通信するディスプレイを更に備え、前記ディスプレイは、前記ナビゲーションセンサによって提供される前記信号に基づいて、前記患者の解剖学的構造に対する前記シャフト遠位端の前記位置をリアルタイムで示すナビゲーション画像を描写するように動作可能である、請求項１に記載の外科用ナビゲーションシステム。
【請求項１２】
前記プロセッサが、前記ディスプレイを介して提供された入力として前記対象点を受け入れるように動作可能であり、前記対象点は、前記ナビゲーション画像によって示される前記患者の解剖学的特徴に対応する、請求項１１に記載の外科用ナビゲーションシステム。
【請求項１３】
前記ナビゲーション画像がコンピュータ断層撮影（ＣＴ）画像を含む、請求項１１に記載の外科用ナビゲーションシステム。
【請求項１４】
前記ナビゲーション画像が三次元画像を含み、前記対象点が三次元座標系に対応する座標を有する、請求項１１に記載の外科用ナビゲーションシステム。
【請求項１５】
前記ディスプレイが前記内視鏡の前記光導管とも通信し、前記ディスプレイは、前記内視鏡によってキャプチャされた前記画像を表示するように更に動作可能である、請求項１１に記載の外科用ナビゲーションシステム。
【請求項１６】
外科用ナビゲーションシステムであって、
（ａ）内視鏡であって、前記内視鏡は、
（ｉ）本体と、
（ｉｉ）長手方向シャフト軸に沿って前記本体から遠位方向に延在するシャフトであって、前記シャフトは、遠位シャフト端部を含む、シャフトと、
（ｉｉｉ）前記シャフトを通って遠位方向に延在する光導管であって、前記光導管は、画像を光学的に送信するように動作可能である、光導管と、
（ｉｖ）前記遠位シャフト端部に配置された可動光学素子であって、前記可動光学素子は、前記シャフト軸に対して横方向に延在する枢動軸を中心に枢動するように構成されており、前記可動光学素子は、視線を画定する視野を提供するように構成されている、可動光学素子と、を含み、
前記可動光学素子は、前記視野内の画像をキャプチャし、前記画像を前記光導管へと近位方向に送信して、ユーザによる前記画像の可視化を可能にするように動作可能である、内視鏡と、
（ｂ）前記内視鏡と連結された駆動機構であって、前記駆動機構は、前記可動光学素子を前記シャフトに対して移動させて前記視線の方向を調整するように動作可能であり、前記駆動機構は、
（ｉ）第１のアクチュエータであって、前記第１のアクチュエータは、前記可動光学素子を前記本体に対して前記シャフト軸を中心に回転させるように動作可能である、第１のアクチュエータと、
（ｉｉ）第２のアクチュエータであって、前記第２のアクチュエータは、前記可動光学素子を前記シャフトに対して前記枢動軸を中心に枢動させるように動作可能である、第２のアクチュエータと、を含む、駆動機構と、を備える、外科用ナビゲーションシステム。
【請求項１７】
プロセッサを更に備え、前記プロセッサは、前記視線が座標系内の選択された対象点に向けて方向付けられるように、前記第１のアクチュエータ及び前記第２のアクチュエータを制御して、前記可動光学素子を位置付けるように動作可能である、請求項１６に記載の外科用ナビゲーションシステム。
【請求項１８】
前記内視鏡に動作可能に関連付けられたナビゲーションセンサを更に備え、前記ナビゲーションセンサは、前記座標系内の前記遠位シャフト端部の位置に対応する信号を前記プロセッサに送信するように動作可能であり、前記プロセッサは、前記信号に基づいて前記第１のアクチュエータ及び前記第２のアクチュエータを制御するように動作可能である、請求項１７に記載の外科用ナビゲーションシステム。
【請求項１９】
患者に対する外科手術中に外科用ナビゲーションシステムを操作する方法であって、前記外科用ナビゲーションシステムは、視線を画定する視野を提供する可動光学素子を有する内視鏡を含み、前記外科用ナビゲーションシステムは、前記内視鏡と動作可能に連結された駆動機構を更に含み、前記方法は、
（ａ）前記外科用ナビゲーションシステムのディスプレイ上にナビゲーション画像を描写することであって、前記ナビゲーション画像は、前記患者の解剖学的構造に対する前記内視鏡の遠位端の位置をリアルタイムに示す、ことと、
（ｂ）前記ディスプレイを介してユーザ入力を受信することであって、前記ユーザ入力は、前記ナビゲーション画像によって示される前記患者の解剖学的特徴に対応する対象点を指定する、ことと、
（ｃ）プロセッサを用いて、前記内視鏡の前記遠位端の前記位置を前記ユーザ入力によって指定された前記対象点と比較することと、
（ｄ）前記比較に基づいて、前記プロセッサを用いて前記駆動機構を制御して、前記視線が前記ユーザ入力によって指定された前記対象点に向けて方向付けられる位置に、前記可動光学素子を移動させることと、を含む、方法。
【請求項２０】
前記内視鏡が長手方向軸を含み、前記方法は、前記プロセッサを用いて、前記長手方向軸を中心とした前記対象点に対する前記内視鏡の回転方向を決定することを更に含み、前記駆動機構を制御する前記工程は、前記回転方向の前記決定に更に基づく、請求項１９に記載の方法。
【発明の詳細な説明】
【背景技術】
【０００１】
一部の症例においては、患者の解剖学的通路の拡張が望まれる場合がある。これには、副鼻腔の小孔の拡張（例えば、副鼻腔炎を治療するため）、喉頭の拡張、耳管の拡張、耳、鼻、又は喉内の他の通路の拡張などが含まれ得る。解剖学的通路を拡張する１つの方法としては、ガイドワイヤ及びカテーテルを用いて解剖学的通路内に膨張可能なバルーンを位置決めし、次いでバルーンを流体（例えば、生理食塩水）を用いて膨張させて解剖学的通路を拡張することが挙げられる。例えば、膨張可能なバルーンを副鼻腔の口内に位置決めし、次に膨張させることによって、粘膜の切開や骨の切除を必要とせずに、口に隣接する骨を再構築することにより口を拡張することができる。その後、拡張した口によって、罹患した副鼻腔からの排液及びその副鼻腔の通気を改善することができる。かかる手順を実施するのに使用可能なシステムは、米国特許出願公開第２０１１／０００４０５７号、名称「Ｓｙｓｔｅｍｓ  ａｎｄ  Ｍｅｔｈｏｄｓ  ｆｏｒ  Ｔｒａｎｓｎａｓａｌ  Ｄｉｌａｔｉｏｎ  ｏｆ  Ｐａｓｓａｇｅｗａｙｓ  ｉｎ  ｔｈｅ  Ｅａｒ，Ｎｏｓｅ  ｏｒ  Ｔｈｒｏａｔ」（２０１１年１月６日公開）の教示に従って提供することができ、この開示は参照により本明細書に組み込まれる。このようなシステムの一例として、Ａｃｃｌａｒｅｎｔ，Ｉｎｃ．（Ｉｒｖｉｎｅ，Ｃａｌｉｆｏｒｎｉａ）によるＲｅｌｉｅｖａ（登録商標）Ｓｐｉｎ  Ｂａｌｌｏｏｎ  Ｓｉｎｕｐｌａｓｔｙ（商標）システムがある。
【０００２】
かかるシステムと共に可変視野方向内視鏡を使用して、解剖学的通路（例えば、耳、鼻、咽頭、副鼻腔など）内を可視化し、バルーンを所望の位置に配置することができる。可変視野方向内視鏡は、解剖学的通路内で内視鏡のシャフトを曲げる必要なく広範な横断視野角に沿った視野を可能にすることができる。このような内視鏡は、米国特許出願公開第２０１０／００３００３１号、発明の名称「Ｓｗｉｎｇ  Ｐｒｉｓｍ  Ｅｎｄｏｓｃｏｐｅ」（２０１０年２月４日公開）（開示内容は参照により本明細書に組み込まれている）の教示に従って得ることができる。
【０００３】
画像誘導手術（Image-guided surgery、ＩＧＳ）は、コンピュータを用いて、患者の身体内に挿入された器具の位置の、術前に得られた画像群（例えば、ＣＴ又はＭＲＩスキャン、３Ｄマップなど）に対するリアルタイムの相関を得ることで器具の現在位置を術前に得られた画像に重ね合わせる外科手術技法である。いくつかのＩＧＳ手技では、術野のデジタルトモグラフィスキャン（例えば、ＣＴ又はＭＲＩ、３Ｄマップなど）を外科手術の前に得る。次に、特別にプログラムされたコンピュータを用いて、デジタルトモグラフィスキャンデータをデジタルマップに変換する。外科手術中、センサ（例えば、電磁界を発生させる及び／又は外部で発生した電磁界に反応する電磁コイル）が装着された特別な器具を用いて処置を実行し、同時に、センサがコンピュータに各手術用器具の現在位置を示すデータを送る。コンピュータは、器具装着センサから受信したデータを、術前トモグラフィスキャンから作成されたデジタルマップと相関付ける。トモグラフィスキャン画像は、スキャン画像内に示される解剖学的構造に対するそれぞれの外科器具のリアルタイム位置を示す指標（例えば、クロスヘア又は照明ドットなど）と共にシステムディスプレイデバイス（例えば、ビデオモニタ）上に表示される。システムディスプレイデバイスによって描写されるスキャン画像及び指標は、本明細書において「ナビゲーション画像」と総称される。これにより、外科医は、器具自体を体内のその現在位置において直接見ることができない場合であっても、ディスプレイデバイスを見ることによってそれぞれのセンサ搭載器具の正確な位置を知ることができる。
【０００４】
耳鼻咽喉（ＥＮＴ）及び副鼻腔手術で使用され得る電磁ＩＧＳシステムの例としては、ＩｎｓｔａＴｒａｋ  ＥＮＴ（商標）システム（ＧＥ  Ｍｅｄｉｃａｌ  Ｓｙｓｔｅｍｓ，Ｓａｌｔ  Ｌａｋｅ  Ｃｉｔｙ，Ｕｔａｈから入手可能）が挙げられる。電磁画像誘導システムの他の例としては、Ｂｉｏｓｅｎｓｅ−Ｗｅｂｓｔｅｒ，Ｉｎｃ．，（Ｄｉａｍｏｎｄ  Ｂａｒ，Ｃａｌｉｆｏｒｎｉａ）によるＣＡＲＴＯ（登録商標）３  Ｓｙｓｔｅｍ、及びＳｕｒｇｉｃａｌ  Ｎａｖｉｇａｔｉｏｎ  Ｔｅｃｈｎｏｌｏｇｉｅｓ，Ｉｎｃ．，（Ｌｏｕｉｓｖｉｌｌｅ，Ｃｏｌｏｒａｄｏ）から入手可能なシステムが挙げられるが、これらに限定されない。ＩＧＳシステムと共に使用され得る気管支内器具の一例は、その開示内容が参照により本明細書に組み込まれる、２０１３年１１月２８日に公開された「Ｅｎｄｏｂｒｏｎｃｈｉａｌ  Ｃａｔｈｅｔｅｒ」と題する米国公開第２０１３／０３１７３３９号に記載されている。
【０００５】
機能的内視鏡下副鼻腔手術（ＦＥＳＳ）、副鼻腔生検処置、バルーン副鼻腔手術、及び／又は様々な他のＥＮＴ処置に適用される場合、ＩＧＳの使用によって、外科医は、内視鏡単独による視野によって達成され得るよりも正確に手術器具を動かして位置決めすることが可能になる。これは、典型的な内視鏡の画像が空間的に制限された２次元の視線の視界だからである。画像誘導システムを用いることによって、空間的に制限された２次元の直接視線の内視鏡視野において実際に見えるものだけではなく、術野を囲む解剖学的構造全てのリアルタイムの三次元図が得られる。結果として、画像誘導システムは、ＦＥＳＳ、バルーンサイナプラスティ、及び／又は様々な他のＥＮＴ処置の実行中に、とりわけ、通常の解剖学的目印が存在しないか又は内視鏡的に可視化することが困難である場合に、特に有用であり得る。
【０００６】
ＥＮＴ手技及び他の医療手技においてＩＧＳナビゲーションシステム及び付属する構成要素の使用を更に容易とする特徴を提供することが望ましい場合がある。ＩＧＳ及びＥＮＴ手術に関連していくつかのシステム及び方法がこれまでに製造及び使用されているが、本発明者らよりも以前に付属の特許請求の範囲に記載される本発明を製造及び使用した者はないものと考えられる。
【図面の簡単な説明】
【０００７】
本明細書に組み込まれていると共にその一部をなす添付の図面は、本発明の実施形態を示すものであり、上記の本発明の一般的説明、及び以下の実施形態の詳細な説明と共に、本発明の原理を説明する役割を果たすものである。
【図１】外科用ナビゲーションシステムの例示的な内視鏡の斜視図を示す。
【図２】スイングプリズム並びに第１及び第２のナビゲーションセンサを含む内部構成要素の詳細を示す、図１の内視鏡の遠位端の概略側断面図を示す。
【図３】内視鏡の例示的な視野角を示す、図１の内視鏡の遠位端の概略側面図を示す。
【図４】第１のアクチュエータ及び第２のアクチュエータとアクチュエータを制御するように動作可能なコントローラとを有する駆動機構を概略的に示す、図１の内視鏡の近位端部分の概略側面図を示す。
【図５】図１の内視鏡を組み込む例示的な外科用ナビゲーションシステムの概略斜視図を示す
【図６】プロセッサと図４の駆動機構コントローラ及びアクチュエータとを含む、図５の外科用ナビゲーションシステムの選択構成要素の概略図を示す。
【図７】三次元座標系内で動作する図１の内視鏡の概略側面図を示し、内視鏡の視線が座標系内の選択された対象点に向けて方向付けられていることを示す。
【０００８】
図面は、いかなる方式でも限定することを意図しておらず、本発明の様々な実施形態は、図面に必ずしも描写されていないものを含め、他の様々な方式で実施し得ることが考えられる。本明細書に組み込まれ、その一部をなす添付図面は、本発明のいくつかの態様を図示したものであり、本説明文と共に本発明の原理を説明する役割を果たすものである。しかしながら、本発明が示される正確な配置に限定されない点は理解される。
【発明を実施するための形態】
【０００９】
本発明の特定の実施例の以下の説明文は、本発明の範囲を限定する目的で用いられるべきではない。本発明の他の実施例、特徴、態様、実施形態及び利点は、本発明を実施するために想到される最良の形態の１つを実例として示す以下の説明文より当業者には明らかとなろう。理解されるように、本発明には、いずれも本発明から逸脱することなく、他の異なる、かつ明白な態様が可能である。したがって、図面及び説明は、限定的な性質のものではなく、例示的な性質のものとみなされるべきである。
【００１０】
本開示の明瞭さのために、「近位」及び「遠位」という用語は、遠位外科用エンドエフェクタを有する外科用器具を握持する外科医又は他の操作者に対して本明細書で定義される。「近位」という用語は、外科医により近く配置された要素の位置を指し、「遠位」という用語は、外科用器具の外科用エンドエフェクタにより近く、外科医からより遠くに配置された要素の位置を指す。また、図面を参照して「上部」、「下部」、「垂直」、「水平」などの空間的用語が本明細書で使用される限り、このような用語は例示的な記述目的にのみ使用されて、限定も絶対も意図していないと理解されるであろう。その点において、本明細書に開示されるものなどの外科用器具を、本明細書で図示及び記載するものに限定されない様々な向き及び位置で使用してもよいことが理解される。
【００１１】
本明細書で使用される場合、任意の数値又は範囲の「約」又は「およそ」という用語は、構成要素の部分又は集合が、本明細書で記載されているその所期の目的のために機能することを可能とするような好適な寸法の許容範囲を示すものである。
【００１２】
Ｉ．自動駆動式内視鏡を有する例示的な外科用ナビゲーションシステム
上述したように、外科手術は、ＩＧＳナビゲーションシステムのナビゲーションセンサを備えた外科用器具を、外科用器具及び周囲の患者の解剖学的構造の直接可視化を提供する内視鏡と組み合わせて使用して実施され得る。ＩＧＳと内視鏡とのこの組み合わせにより、外科医は、ＩＧＳ又は内視鏡単独と比較して、外科用器具及び解剖学的構造をより正確に操作及び表示することが可能となる。しかしながら、場合によっては、ＩＧＳナビゲーションシステムによって表示されるナビゲーション画像上で識別された特定の解剖学的特徴が、内視鏡で見られる同じ解剖学的特徴であるかどうかを確認することは、外科医にとって困難であり得る。換言すれば、ＩＧＳナビゲーションシステムによって表示されているＣＴ画像（又は他の以前にキャプチャされた画像）内の対象領域と、内視鏡による視界とをリアルタイムで正確に相関させることは困難であり得る。
【００１３】
後述する例示的な外科用ナビゲーションシステムは、患者内の内視鏡の遠位端の位置を追跡する、自動駆動式内視鏡及びＩＧＳ構成要素を組み込む。システムディスプレイは、ＩＧＳナビゲーション画像を描写し、外科医が、患者の特定の解剖学的特徴に対応するナビゲーション画像上の対象点を選択することを可能にする。次いで、このシステムは、内視鏡と連結された駆動機構を制御して、外科医によって示される対象点に向けて内視鏡の視線を自動的に方向付ける。その結果、外科医には、内視鏡で見ている解剖学的特徴が、ＩＧＳナビゲーション画像を介して外科医に指定される対象点に対応する同じ解剖学的特徴であることがわかる。
【００１４】
Ａ．自動駆動式内視鏡
図１〜図３は、外科用ナビゲーションシステム（１００）の例示的な内視鏡（１０）を示し、その追加の構成要素は、図５〜図７に関連してより詳細に記載される。本実施例の内視鏡（１０）は、後述するように、ハンドルとして機能し得る本体（１２）と、細長い剛性シャフト（１４）と、を含み、細長い剛性シャフト（１４）は、長手方向シャフト軸（Ａ）に沿って本体（１２）から遠位方向に延在し、遠位シャフト端部（１６）で終端し、遠位シャフト端部（１６）を介して内視鏡画像がキャプチャされる。本実施例では、シャフト（１４）は、シャフト軸（Ａ）を中心に本体（１２）に対して回転可能である。内視鏡シャフト（１４）には、丸みを帯びた外側表面が提供され、それにより、使用中にシャフト（１４）を非外傷性にする。一実施例では、シャフト（１４）は、約４ｍｍの外径及び約１７５ｍｍの作業長を有してもよい。
【００１５】
本体（１２）の遠位端は、半径方向外側に突出し、内視鏡（１０）内に収容された光導管（２８）と連通する光源ポート（１８）を含む。あるいは、光源ポート（１８）から遠位シャフト端部（１６）に可視光を伝達するために、光導管（２８）の代わりに光導体又は他の光通信機構が使用されてもよい。光源ポート（１８）は、照明された内視鏡画像のキャプチャを可能にするために、光導管（２８）を介して遠位シャフト端部（１６）で照明を提供するように動作可能な光源（２０）と接続するように構成されている。画像ポート（２２）は、本体（１２）の近位端に提供され、キャプチャされた画像の可視化を外科医に提供する表示デバイス（２４）と連結するように構成されている。表示デバイス（２４）は、例えば、接眼レンズ、カメラ、又はディスプレイスクリーンの形態であってもよい。
【００１６】
図２に示すように、遠位シャフト端部（１６）は、湾曲した透明窓（２６）を有する丸みを帯びた先端を含み、内視鏡（１０）は、その先端を通して画像をキャプチャするように構成されている。光導管（２８）は、シャフト軸（Ａ）に沿ってシャフト（１４）を通って長手方向に延在し、窓（２６）を通してキャプチャされた画像を画像ポート（２２）に光学的に送信するように構成されているため、操作者は、表示デバイス（２４）を用いてその画像を見ることができる。いくつかの実施例では、光導管（２８）は、複数の画像ファイバ及び照明ファイバを含む光ファイバケーブルの形態であってもよい。他の実施例では、光導管（２８）は、本明細書の教示を考慮することで当業者には容易に明らかとなる、様々な他のタイプの光伝送要素を含んでもよい。例えば、光導管（２８）は、ロッドレンズ技術を実装してもよい。自己集束レンズ（３０）は、光導管（２８）の遠位端で、窓（２６）の近位側に配置され、キャプチャされた画像を、後述する可動光学素子（３２）から光導管（２８）へと近位方向に送信するように構成されている。
【００１７】
スイングプリズム（３２）の形態の可動光学素子は、透明窓（２６）と自己集束レンズ（３０）との間の遠位シャフト端部（１６）内に配置される。スイングプリズム（３２）は、窓（２６）を通して画像をキャプチャし、その画像を、レンズ（３０）を通して光導管（２８）へと近位方向に送信するように動作可能である。スイングプリズム（３２）は、シャフト軸（Ａ）に対して横方向に延在する枢動軸（Ａ１）を中心に枢動するように構成され、内視鏡（１０）に窓（２６）を通した可動視野を提供し、視野は視線（ＬＳ）を画定する中心を有する。視線（ＬＳ）は、枢動軸（Ａ１）を中心にスイングプリズム（３２）と共に枢動し、シャフト軸（Ａ）に対する視野角を画定する。細長い作動リンク（３４）は、スイングプリズム（３２）の側部と連結され、内視鏡シャフト（１４）を通って本体（１２）へと近位方向に延在する。作動リンク（３４）は、シャフト（１４）内を長手方向に摺動し、それによって、第１の端部枢動位置と第２の端部枢動位置との間の枢動軸（Ａ１）を中心にスイングプリズム（３２）を枢動させて視線（ＬＳ）の方向を調整するように構成されている。付勢バネ（３６）は、スイングプリズム（３２）に連結されており、スイングプリズム（３２）を第１の端部枢動位置と第２の端部枢動位置との間の中間枢動位置に向けて付勢するように構成されてもよい。以下により詳細に記載されるように、作動リンク（３４）は、自動駆動機構によって移動されるように構成され、また任意選択的に、本体（１２）上に配置された機構の手動操作を介して外科医によって移動されるように構成されている。
【００１８】
シャフト軸（Ａ）がゼロ角度で表される図３に示されるように、スイングプリズム（３２）は、視線（ＬＳ）がシャフト軸（Ａ）に対して約−５度〜約１５０度、約０度〜約１２０度、約１０度〜約９０度、又は任意の他の好適な範囲で枢動し得るように、枢動軸（Ａ１）の周りに装着され、枢動可能であってもよい。本実施例では、スイングプリズム（３２）及び窓（２６）は、約６０度にわたる視野を提供する。したがって、様々な実施例では、内視鏡（１０）の視野は、スイングプリズム（３２）の枢動範囲に基づいて、約１８０度、約１４０度、又は任意の他の好適な視野範囲に及ぶ視野範囲を可能にし得る。
【００１９】
図２に示すように、内視鏡（１０）の遠位シャフト端部（１６）は、外科手術中に患者内の遠位シャフト端部（１６）の位置及び回転方向を追跡するために、後述する、外科用ナビゲーションシステム（１００）のＩＧＳ構成要素と通信するように動作可能な複数のナビゲーションセンサ（４０、４２）を更に含む。具体的には、本実施例の遠位シャフト端部（１６）は、第１の導電性コイル（例えば、螺旋状にコイル構成に巻かれた第１の金属ワイヤ）の形態の第１のナビゲーションセンサ（４０）と、第２の導電性コイル（例えば、螺旋状にコイル構成に巻かれた第２の金属ワイヤ）の形態の第２のナビゲーションセンサ（４２）と、を含む。第１のセンサコイル（４０）は、光導管（２８）の遠位部分を取り囲むように、シャフト軸（Ａ）の周りに、かつ同軸上に位置付けられる。第２のセンサコイル（４２）は、シャフト軸（Ａ）に対して横方向に延在する第２の軸（Ａ２）の周りに位置付けられ、本実施例では、遠位シャフト端部（１６）の内壁付近でシャフト軸（Ａ）から半径方向に離間している。したがって、第１のセンサコイル（４０）及び第２のセンサコイル（４２）は、軸（Ａ、Ａ２）が互いに同軸でも平行でもないように、互いに対して角度をなすそれぞれの軸（Ａ、Ａ２）の周りに位置付けられる。更に、第１のセンサコイル（４０）及び第２のセンサコイル（４２）は、センサコイル（４０、４２）のいずれの部分も重なり合わないように、互いに軸方向に離間している。本実施例では、第２のセンサコイル（４２）は、第１のセンサコイル（４０）の遠位側及び自己集束レンズ（３０）の近位側に配置されているが、他の実施例では代替的な配置が提供されてもよい。
【００２０】
以下により詳細に記載されるように、上述のナビゲーションセンサ（４０、４２）の構成は、内視鏡（１０）が患者の周囲で生成された交流電磁場を通って前進する際の遠位シャフト端部（１６）の位置及び回転方向の正確な追跡を可能にする。しかしながら、第１のセンサ（４０）及び第２のセンサ（４２）は、上述した同じ位置追跡効果を達成するように、センサ（４０、４２）が互いに対して角度をなすそれぞれの軸の周りに位置付けられる様々な他の構成で配置されてもよいことが理解されよう。例えば、第１のナビゲーションセンサ（４０）は、例えば、米国特許出願第１５／９２３，１６４号、発明の名称「Ｎａｖｉｇａｔｉｏｎ  Ｉｎｓｔｒｕｍｅｎｔ  Ｗｉｔｈ  Ｏｂｌｉｑｕｅｌｙ  Ｏｒｉｅｎｔｅｄ  Ｓｅｎｓｉｎｇ  Ｃｏｉｌ」（２０１８年３月１９日出願）（開示内容は参照により本明細書に組み込まれている）に開示されているように、シャフト軸（Ａ）に対して斜めに延在する軸の周りに位置付けられてもよい。加えて、いくつかの変形例では、第２のナビゲーションセンサ（４２）は省略されてもよい。他の変形例では、３つ以上のナビゲーションセンサが提供されてもよい。例えば、いくつかのこのような変形例では、スイングプリズム（３２）には、スイングプリズム（３２）の角度方向、ひいては視線（ＬＳ）を示すように構成されたそれ自体のナビゲーションセンサが提供されてもよい。更に、導電性コイル（４０、４２）以外の様々な他の好適なタイプのナビゲーションセンサが、患者内の遠位シャフト端部（１６）の位置及び回転方向を追跡するために用いられてもよいことが理解されよう。
【００２１】
図２に示すように、第１の信号伝送ワイヤ（４４）は、シャフト（１４）を通って長手方向に延在し、その遠位端で第１のナビゲーションセンサ（４０）と連結する。第１の信号伝送ワイヤ（４４）は、その近位端で、以下でより詳細に記載される、第１のセンサ（４０）を外科用ナビゲーションシステム（１００）のプロセッサ（１０８）と通信させる構成要素と連結する。同様に、第２の信号伝送ワイヤ（４６）は、シャフト（１４）を通って長手方向に延在し、その遠位端で第２のナビゲーションセンサ（４６）と連結し、その近位端で、第２のセンサ（４２）をシステムプロセッサ（１０８）と通信させる構成要素と連結する。信号伝送ワイヤ（４４、４６）は、後述するように、患者内の内視鏡（１０）の位置及び回転方向を通知するために、ナビゲーションセンサ（４０、４２）によって生成された信号をシステムプロセッサ（１０８）へと近位方向に送信するように構成されている。
【００２２】
図４は、外科手術中の視線（ＬＳ）の方向を調整するためのスイングプリズム（３２）の操作を容易にする内視鏡（１０）の更なる機構を示す。内視鏡（１０）は、本体（１２）の近位端に配置され、第１のダイアルノブ（５２）と、第１のダイアルノブ（５２）から近位方向に延在する第１のダイアルシャフト（５４）と、を有する、第１の回転ダイアル（５０）を含む。第１の回転ダイアル（５０）は、本体（１２）の近位端と回転可能に連結され、シャフト軸（Ａ）を中心とした本体（１２）に対する第１の回転ダイアル（５０）の回転が、シャフト軸（Ａ）を中心とした本体（１２）に対するシャフト（１４）の回転を駆動するように、内視鏡シャフト（１４）に回転可能に固定される。本体（１２）に対するシャフト（１４）の回転は、スイングプリズム（３２）、ひいては視線（ＬＳ）を、本体（１２）に対してシャフト軸（Ａ）を中心に回転させる。
【００２３】
内視鏡（１０）は、第１の回転ダイアル（５０）の遠位側で本体（１２）と回転可能に連結された第２の回転ダイアル（５６）を更に含む。第２の回転ダイアル（５６）は、第２のダイアルノブ（５８）と、第２のダイアルノブ（５８）から近位方向に延在する第２のダイアルシャフト（６０）と、を有する。本実施例では、第１の回転ダイアル（５０）及び第２の回転ダイアル（５６）は、シャフト軸（Ａ）の周りに同軸状に配置され、それにより、第２のダイアルシャフト（６０）は、シャフト軸（Ａ）に沿って、第１の回転ダイアル（５０）の中央ルーメンを通って近位方向に延在する。加えて、第２のダイアルシャフト（６０）の露出した近位端は、第１のダイアルシャフト（５４）の近位端を越えて近位方向に延在する。それぞれの回転ダイアル（５０、５６）は、その対応するダイアルノブ（５２、５８）上に隆起部（６２）を含み、スイングプリズム（３２）及びその視線（ＬＳ）の選択的な位置決めのための、外科医によるダイアル（５０、５６）の手動回転を容易にする。図示されていないが、回転ダイアルノブ（５２、５８）及び／又は内視鏡本体（１２）は、回転ダイアル（５０、５６）の回転位置を示す視覚的なしるし又は同様の機構を更に含んでもよい。
【００２４】
第２の回転ダイアル（５６）は、本体（１２）内に収容された内部連結部材（６４）と連結され、内部連結部材（６４）は、作動リンク（３４）の近位端と連結される。連結部材（６４）の様々な好適な構成は、本明細書の教示を鑑みれば当業者には明らかになるであろう。ほんの一例として、連結部材（６４）及び作動リンク（３４）の近位端は、相補的な螺旋状ねじ山を介して連結されてもよい。連結部材（６４）は、本体（１２）に対する第２の回転ダイアル（５６）の回転が、連結部材（６４）を介してシャフト軸（Ａ）に沿った作動リンク（３４）の近位並進及び遠位並進を駆動するように、カム部材として動作可能であってもよい。したがって、本体（１２）に対するシャフト軸（Ａ）を中心とした第１の方向への第２の回転ダイアル（５６）の回転は、スイングプリズム（３２）及び視線（ＬＳ）をシャフト（１４）に対して枢動軸（Ａ１）を中心として第１の方向に枢動させる。更に、本体（１２）に対するシャフト軸（Ａ）を中心とした第２の方向への第２の回転ダイアル（５６）の回転は、スイングプリズム（３２）及び視線（ＬＳ）をシャフト（１４）に対して枢動軸（Ａ１）を中心として第２の方向に枢動させる。したがって、第１の回転ダイアル（５０）及び第２の回転ダイアル（５６）は、第１の回転ダイアル（５０）を介した、シャフト軸（Ａ）を中心とした視線（ＬＳ）の所望の回転方向と、第２の回転ダイアル（５６）を介した、シャフト軸（Ａ）に対する視線（ＬＳ）の所望の角度方向と、を達成するために、本体（１２）に対して選択的に回転されてもよい。このようにして、視線（ＬＳ）は、より詳細に記載されるように、選択された対象点に向けて好適に方向付けられてもよい。
【００２５】
図４に示すように、内視鏡（１０）は、シャフト軸（Ａ）を中心とした、シャフト軸（Ａ）に対するスイングプリズム（３２）の自動位置決めを提供するため、回転ダイアル（５０、５６）と動作可能に連結された駆動機構（７０）を更に含む。本実施例の駆動機構（７０）は、第１の駆動連結部（７４）を介して第１のダイアルシャフト（５４）と係合する第１の駆動シャフトを有する、第１の電気モーター（７２）の形態の第１のアクチュエータを含む。駆動機構（７０）は、第２の駆動連結部（７８）を介して第２のダイアルシャフト（６０）と係合する第２の駆動シャフトを有する、第２の電気モーター（７６）の形態の第２のアクチュエータを更に含む。第１のモーター（７２）は、第１の回転ダイアル（５０）を本体（１２）に対して回転させ、それによって、内視鏡シャフト（１４）を本体（１２）に対してシャフト軸（Ａ）を中心に回転させるように動作可能である。第２のモーター（７６）は、第２の回転ダイアル（５６）を本体（１２）に対して回転させて、スイングプリズム（３２）をシャフト（１４）に対して枢動軸（Ａ１）を中心に枢動させるように動作可能である。
【００２６】
モーター（７２、７６）は、例えば、ステッピングモーターを含んでもよく、駆動連結具（７４、７８）は、例えばギア部材を含んでもよい。他の実施例では、アクチュエータ（７２、７６）は、当業者には容易に明らかである、様々な他の好適なタイプのものであってもよい。駆動機構（７０）は、内視鏡本体（１２）に直接連結されたハウジング（図示せず）内に収容されてもよい。あるいは、駆動機構（７０）の１つ以上の構成要素は、本体（１２）から離れて収容されてもよい。
【００２７】
駆動機構モーター（７２、７６）は、モーターコントローラ（８０）と通信し、モーターコントローラ（８０）は、図６に示すように、かつ以下でより詳細に記載されるように、外科用ナビゲーションシステム（１００）のプロセッサ（１０８）によって提供される命令に応答してモーター（７２、７６）の起動を制御するように動作可能である。それぞれのモーター（７２、７６）には、モーター（７２、７６）の現在の位置状態をプロセッサ（１０８）に伝達するエンコーダ（図示せず）が提供されてもよい。したがって、このようなエンコーダは、システム（１００）が、本体（１２）に対するシャフト軸（Ａ）を中心とした内視鏡シャフト（１４）の回転位置と、シャフト軸（Ａ）に対する枢動軸（Ａ１）を中心としたスイングプリズム（３２）及び視線（ＬＳ）の角度方向と、を監視することを可能にし得る。モーターコントローラ（８０）によって制御される場合、モーター（７２、７６）は、図７に関連して後述するように、外科手術中にスイングプリズム（３２）、ひいては視線（ＬＳ）の自動位置決めを提供する。
【００２８】
内視鏡（１０）は、米国特許第９，８０８，１４４号、発明の名称「Ｓｗｉｎｇ  Ｐｒｉｓｍ  Ｅｎｄｏｓｃｏｐｅ」（２０１７年１１月７日発行）（開示内容は参照により本明細書に組み込まれている）、及び／又は米国特許出願公開第２０１０／００３００３１号、発明の名称「Ｓｗｉｎｇ  Ｐｒｉｓｍ  Ｅｎｄｏｓｃｏｐｅ」（上記に参照により組み込まれている）のうちの１つ以上の教示に従って更に構成されてもよい。
【００２９】
Ｂ．外科用ナビゲーションシステムのＩＧＳ機構
図５は、上述の自動駆動式内視鏡（１０）、及び後述する様々な追加の画像誘導手術（ＩＧＳ）機構を組み込む、外科用ナビゲーションシステム（１００）を示す。外科用ナビゲーションシステム（１００）は、外科手術中の患者（Ｐ）内の遠位シャフト端部（１６）のリアルタイム位置追跡と、視線が外科医によって識別される選択された対象点に向けて方向付けられるようにスイングプリズム（３２）の自動位置決めと、を提供するために、内視鏡（１０）のナビゲーションセンサ（４０、４２）を実装するように構成されている。図示されていないが、外科用ナビゲーションシステム（１００）は、上述のセンサ（４０、４２）と同様の１つ以上のナビゲーションセンサをそれぞれ備えた１つ以上の追加の外科用器具を更に含んでもよい。
【００３０】
外科用ナビゲーションシステム（１００）のＩＧＳ構成要素は、患者（Ｐ）の頭部（Ｈ）の周りに位置付けられるように構成された馬蹄形フレーム（１０４）内に一体化された１組の電磁場発生器（１０６）を備えた、磁場発生器アセンブリ（１０２）を含む。磁場発生器（１０６）は、患者の頭部（Ｈ）の周りに周波数の異なる交流磁場を発生させるように動作可能である。それによって、磁場発生器（１０６）は、患者の頭部（Ｈ）に挿入された、内視鏡（１０）などのナビゲーション器具の位置の追跡を可能にする。磁場発生器（１０６）を形成及び駆動するために使用され得る様々な好適な構成要素は、本明細書の教示を考慮することで当業者には明らかとなるであろう。
【００３１】
本実施例では、フレーム（１０４）は椅子（２００）のヘッドレストに装着され、患者（Ｐ）は、フレーム（１０４）が患者の頭部（Ｈ）を部分的に取り囲むように椅子（２００）に着座する。ほんの一例として、椅子（２００）及び／又は磁場発生器アセンブリ（１０２）は、米国特許出願第１５／９３３，７３７号、発明の名称「Ａｐｐａｒａｔｕｓ  ｔｏ  Ｓｅｃｕｒｅ  Ｆｉｅｌｄ  Ｇｅｎｅｒａｔｉｎｇ  Ｄｅｖｉｃｅ  ｔｏ  Ｃｈａｉｒ」（２０１８年３月２３日出願）（開示内容は参照により本明細書に組み込まれている）の少なくとも一部の教示に従って構成され、動作可能である。他の実施例では、患者（Ｐ）は、医療処置テーブルなどの様々な他の好適な支持構造体上に支持されてもよい。フレーム（１０４）は、患者支持構造体によって、又は患者支持構造に隣接して位置付けられた独立した構造体によって支持されてもよい。他の実施例では、フレーム（１０４）は、患者（Ｐ）の頭部（Ｈ）に直接、固定されてもよい。
【００３２】
上述したような導電性センサコイルの形態で提供されるナビゲーションセンサ（４０、４２）は、磁場発生器（１０６）によって生成された電磁場と相互作用して電気信号を生成するように構成されている。具体的には、交流磁場中のナビゲーションセンサ（４０、４２）の存在は、それぞれのセンサ（４０、４２）内の電流を誘導し、電流は、信号伝送ワイヤ（４４、４６）を通って外科用ナビゲーションシステム（１００）のプロセッサ（１０８）へと近位方向に電気信号として伝達される。プロセッサ（１０８）は、信号を受信し、アルゴリズムを実行して、本実施例では患者（Ｐ）の頭部（Ｈ）を取り囲む交流電磁場によって占有される、三次元空間内のそれぞれのナビゲーションセンサ（４０、４２）の位置を決定するためのアルゴリズムを実行する。プロセッサ（１０８）は、この三次元空間を患者（Ｐ）の既知の解剖学的構造に相関させ、術前に分析し、患者（Ｐ）とのセンサ（４０、４２）の三次元位置を決定する。上述したように、本実施例のナビゲーションセンサ（４０、４２）は、遠位シャフト端部（１６）内で互いに隣接して配置される。したがって、それぞれのセンサ（４０、４２）は、患者（Ｐ）内の遠位シャフト端部（１６）の位置を示すために、独立して好適である。他の実施例では、ナビゲーションセンサ（４０、４２）は、それぞれのセンサ（４０、４２）が患者（Ｐ）内の内視鏡（１０）の対応する部分の現在位置を示すように、シャフト軸（Ａ）に沿って互いに離間していてもよい。
【００３３】
上述したように、第１及び第２のナビゲーションセンサ（４０、４２）は、互いに対して角度をなすそれぞれの軸（Ａ、Ａ２）の周りに位置付けられ、第２のセンサ（４２）は、遠位シャフト端部（１６）内のシャフト軸（Ａ）から半径方向にオフセットされている。したがって、第２のセンサ（４２）によって提供される信号により、プロセッサ（１６）は、三次元空間内のシャフト軸（Ａ）を中心とした内視鏡シャフト（１４）の回転方向、ひいては視線（ＬＳ）を決定することが可能になる。上述したように、第２のナビゲーションセンサ（４２）は、第１のナビゲーションセンサ（４０）がシャフト軸（Ａ）に対して斜めに延在する軸の周りに位置付けられる変形例を含む、いくつかの変形例で省略されてもよいことが理解されるであろう。
【００３４】
上述したように、システム（１００）は、駆動機構（７０）の第１のモーター（７２）と連結されたエンコーダを介して、本体（１２）に対するシャフト（１４）の回転方向を監視し得る。第２のエンコーダは、システム（１００）が枢動軸（Ａ１）の周りのスイングプリズム（３２）の角度方向、ひいては視線（ＬＳ）を監視することを可能にするため、第２のモーター（７６）と連結されてもよい。図６及び図７に関連して後述するように、プロセッサ（１０８）は、外科医によって指定された患者（Ｐ）内の対象点に向けて視線（ＬＳ）を方向付けるのに好適なコマンドを生成する際に、患者（Ｐ）内の遠位シャフト端部（１６）の三次元位置と共に、スイングプリズム（３２）及び視線（ＬＳ）のこれらの既知の回転方向及び角度方向を参照する。
【００３５】
外科用ナビゲーションシステム（１００）のプロセッサ（１０８）は、１つ以上のメモリと通信する処理ユニットを備え、磁場発生器（１０６）及びナビゲーションシステム（１００）の他の要素を制御するように構成されている。本実施例では、プロセッサ（１０８）は、キーパッド、及び／又はマウス若しくはトラックボールなどのポインティングデバイスを含む操作制御部（１１２）を備える、コンソール（１１０）内に装着されている。医師は、外科手術を行いながら、プロセッサ（１０８）と相互作用する動作制御部（１１２）を使用する。プロセッサ（１０８）は、プロセッサ（１０８）のメモリに格納されたソフトウェアを用いてシステム（１００）を較正し、動作させる。このような動作としては、磁場発生器（１０６）の駆動、ナビゲーションセンサ（４０、４２）から受信したデータの処理、操作制御部（１１２）からのデータの処理、及びディスプレイ（１１４）の駆動が挙げられる。ソフトウェアは、例えば、ネットワークを介して電子的形態でプロセッサ（１０８）にダウンロードされてもよく、又は、代替的に若しくは追加的に、磁気メモリ、光学メモリ若しくは電子メモリなどの、非一時的な有形媒体上に提供されかつ／又は格納されてもよい。
【００３６】
内視鏡（１０）のナビゲーションセンサ（４０、４２）は、図５に示すように内視鏡（１０）の近位端に連結された通信ユニット（１１６）を介してプロセッサ（１０８）と通信し、信号伝送ワイヤ（４４、４６）の近位端と接続する。本実施例の通信ユニット（１１６）は、コンソール（１１０）とナビゲーションセンサ（４０、４２）との間でデータ及び他の信号の無線通信を提供するように構成されている。いくつかの変形例では、通信ユニット（１１６）は、ナビゲーションセンサ（４０、４２）からのデータ又は他の信号を、コンソール（１１０）からのデータ又は他の信号を更に通信することなく、コンソール（１１０）へと一方向に単純に通信する。いくつかの他の変形例では、通信ユニット（１１６）は、ナビゲーションセンサ（４０、４２）とコンソール（１１０）との間にデータ又は他の信号の双方向の通信をもたらす。本実施例の通信ユニット（１１６）は、コンソール（１１０）と無線で連結しているが、いくつかの他の変形例は、通信ユニット（１１６）とコンソール（１１０）との間を有線で連結していてもよい。通信ユニット（１１６）に組み込むことができる様々な他の好適な機構及び機能が、本明細書における教示を考慮することで当業者には明らかとなるであろう。
【００３７】
システムディスプレイ（１１４）は、患者（Ｐ）の解剖学的構造に対する内視鏡（１０）の遠位シャフト端部（１６）のリアルタイム位置を示すナビゲーション画像（１１８）を描写するように動作可能である。解剖学的構造は、例えば、ビデオカメラ画像、ＣＴスキャン画像、及び／又はコンピュータが生成する解剖学的構造の三次元モデルの形態でナビゲーション画像（１１８）によって提示されてもよく、例えば、同時に表示されても、かつ／又は互いに重ね合わせられてもよい。解剖学的画像に加えて、ナビゲーション画像（１１８）は、上述したセンサ（４０、４２）と同様のＩＧＳナビゲーションシステムを有する、患者（Ｐ）に挿入された内視鏡（１０）及び任意の他の外科用器具のグラフィック表現を示す。このグラフィック表現は、解剖学的画像上に重ね合わされ、医師が、外科手術中にリアルタイムで患者（Ｐ）の隣接する解剖学的特徴に対して内視鏡（１０）の遠位シャフト端部（１６）の位置を識別することを可能にする。ナビゲーション画像（１１８）によって示される１つ以上のグラフィック表現は、内視鏡（１０）などの対応する外科用器具のように見えてもよく、又はドット、十字線などのより単純な表現であってもよい。
【００３８】
ほんの一例として、ディスプレイ（１１４）は、米国特許出願公開第２０１６／０００８０８３号、発明の名称「Ｇｕｉｄｅｗｉｒｅ  Ｎａｖｉｇａｔｉｏｎ  ｆｏｒ  Ｓｉｎｕｐｌａｓｔｙ」（２０１６年１月１４日公開）（開示内容は参照により本明細書に組み込まれている）の教示の少なくとも一部に従ってナビゲーション画像（１１８）を描写してもよい。場合によっては、システムディスプレイ（１１４）は、内視鏡（１０）によって提供される内視鏡画像と同時にナビゲーション画像（１１８）を描写してもよい。したがって、ディスプレイ（１１４）を介して提供される画像は、患者（Ｐ）内の内視鏡（１０）及び任意の追加の外科用器具を操縦し、他の方法で操作する医師を補助し得る。
【００３９】
外科手術中にその周囲に電磁場が発生される、及び内視鏡（１０）が外科手術中に挿入される任意の好適なデバイスを使用して、患者（Ｐ）の部分（例えば、頭部（Ｈ））の内部解剖学的構造の三次元モデルを生成することができる。ほんの一例として、このようなモデルは、米国特許出願公開第２０１６／０３１００４２号、発明の名称「Ｓｙｓｔｅｍ  ａｎｄ  Ｍｅｔｈｏｄ  ｔｏ  Ｍａｐ  Ｓｔｒｕｃｔｕｒｅｓ  ｏｆ  Ｎａｓａｌ  Ｃａｖｉｔｙ」（２０１６年１０月２７日出願）（開示内容は参照により本明細書に組み込まれている）の教示の少なくとも一部に従って生成することができる。三次元の解剖学的モデルが生成され得る他の更なる好適な方法は、本明細書における教示を考慮すれば当業者には明白となろう。三次元モデルを生成する方法又は場所に関係なく、モデルをコンソール（１１０）に記憶させてもよいことも理解されるべきである。こうして、コンソール（１１０）は、モデルの少なくとも一部分の画像を、ディスプレイ（１１４）を介してレンダリングしてもよく、更にディスプレイ（１１４）により、モデルに対する内視鏡（１０）の遠位シャフト端部（１６）の位置のリアルタイムビデオ画像をレンダリングしてもよい。
【００４０】
様々な実施例では、外科用ナビゲーションシステムのＩＧＳ構成要素は、米国特許出願第１５／６９５，５２０号、発明の名称「Ｓｅｎｓｏｒ  Ｇｕｉｄｅｄ  Ｉｎｓｔｒｕｍｅｎｔ  ｗｉｔｈ  Ｐｅｎｅｔｒａｔｉｎｇ  Ｆｅａｔｕｒｅ」（２０１７年９月５日出願）；米国特許出願第１５／７９７，０４９号、発明の名称「Ｄｉｌａｔｉｏｎ  Ｃａｔｈｅｔｅｒ  ｗｉｔｈ  Ｎａｖｉｇａｔｉｏｎ  Ｓｅｎｓｏｒ  ａｎｄ  Ｖｅｎｔ  Ｐａｓｓａｇｅｗａｙ  ｉｎ  Ｔｉｐ」（２０１７年１０月３０日出願）；米国特許第８，７０２，６２６号、発明の名称「Ｇｕｉｄｅｗｉｒｅｓ  ｆｏｒ  Ｐｅｒｆｏｒｍｉｎｇ  Ｉｍａｇｅ  Ｇｕｉｄｅｄ  Ｐｒｏｃｅｄｕｒｅｓ」（２０１４年４月２２日発行）；米国特許第８，３２０，７１１号、発明の名称「Ａｎａｔｏｍｉｃａｌ  Ｍｏｄｅｌｉｎｇ  ｆｒｏｍ  ａ  ３−Ｄ  Ｉｍａｇｅ  ａｎｄ  ａ  Ｓｕｒｆａｃｅ  Ｍａｐｐｉｎｇ」（２０１２年１１月２７日発行）；米国特許第８，１９０，３８９号、発明の名称「Ａｄａｐｔｅｒ  ｆｏｒ  Ａｔｔａｃｈｉｎｇ  Ｅｌｅｃｔｒｏｍａｇｎｅｔｉｃ  Ｉｍａｇｅ  Ｇｕｉｄａｎｃｅ  Ｃｏｍｐｏｎｅｎｔｓ  ｔｏ  ａ  Ｍｅｄｉｃａｌ  Ｄｅｖｉｃｅ」（２０１２年５月２９日発行）；米国特許第８，１２３，７２２号、発明の名称「Ｄｅｖｉｃｅｓ，Ｓｙｓｔｅｍｓ  ａｎｄ  Ｍｅｔｈｏｄｓ  ｆｏｒ  Ｔｒｅａｔｉｎｇ  Ｄｉｓｏｒｄｅｒｓ  ｏｆ  ｔｈｅ  Ｅａｒ，Ｎｏｓｅ  ａｎｄ  Ｔｈｒｏａｔ」（２０１２年２月２８日発行）；米国特許第７，７２０，５２１号、発明の名称「Ｍｅｔｈｏｄｓ  ａｎｄ  Ｄｅｖｉｃｅｓ  ｆｏｒ  Ｐｅｒｆｏｒｍｉｎｇ  Ｐｒｏｃｅｄｕｒｅｓ  ｗｉｔｈｉｎ  ｔｈｅ  Ｅａｒ，Ｎｏｓｅ，Ｔｈｒｏａｔ  ａｎｄ  Ｐａｒａｎａｓａｌ  Ｓｉｎｕｓｅｓ」（２０１０年５月１８日発行）；米国特許出願公開第２０１４／０３６４７２５号、発明の名称「Ｓｙｓｔｅｍｓ  ａｎｄ  Ｍｅｔｈｏｄｓ  ｆｏｒ  Ｐｅｒｆｏｒｍｉｎｇ  Ｉｍａｇｅ  Ｇｕｉｄｅｄ  Ｐｒｏｃｅｄｕｒｅｓ  ｗｉｔｈｉｎ  ｔｈｅ  Ｅａｒ，Ｎｏｓｅ，Ｔｈｒｏａｔ  ａｎｄ  Ｐａｒａｎａｓａｌ  Ｓｉｎｕｓｅｓ」（２０１４年１２月１１日公開）；米国特許出願公開第２０１４／０２００４４４号、発明の名称「Ｇｕｉｄｅｗｉｒｅｓ  ｆｏｒ  Ｐｅｒｆｏｒｍｉｎｇ  Ｉｍａｇｅ  Ｇｕｉｄｅｄ  Ｐｒｏｃｅｄｕｒｅｓ」（２０１４年７月１７日公開）；米国特許第９，１９８，７３６号、発明の名称「Ａｄａｐｔｅｒ  ｆｏｒ  Ａｔｔａｃｈｉｎｇ  Ｅｌｅｃｔｒｏｍａｇｎｅｔｉｃ  Ｉｍａｇｅ  Ｇｕｉｄａｎｃｅ  Ｃｏｍｐｏｎｅｎｔｓ  ｔｏ  ａ  Ｍｅｄｉｃａｌ  Ｄｅｖｉｃｅ」（２０１５年１２月１日発行）；米国特許出願公開第２０１１／００６０２１４号、発明の名称「Ｓｙｓｔｅｍｓ  ａｎｄ  Ｍｅｔｈｏｄｓ  ｆｏｒ  Ｐｅｒｆｏｒｍｉｎｇ  Ｉｍａｇｅ  Ｇｕｉｄｅｄ  Ｐｒｏｃｅｄｕｒｅｓ  ｗｉｔｈｉｎ  ｔｈｅ  Ｅａｒ，Ｎｏｓｅ，Ｔｈｒｏａｔ  ａｎｄ  Ｐａｒａｎａｓａｌ  Ｓｉｎｕｓｅｓ」（２０１１年３月１０日公開）；米国特許第９，１６７，９６１号、発明の名称「Ｍｅｔｈｏｄｓ  ａｎｄ  Ａｐｐａｒａｔｕｓ  ｆｏｒ  Ｔｒｅａｔｉｎｇ  Ｄｉｓｏｒｄｅｒｓ  ｏｆ  ｔｈｅ  Ｅａｒ  Ｎｏｓｅ  ａｎｄ  Ｔｈｒｏａｔ」（２０１５年１０月２７日発行）；及び／又は米国特許出願公開第２００７／０２０８２５２号、発明の名称「Ｓｙｓｔｅｍｓ  ａｎｄ  Ｍｅｔｈｏｄｓ  ｆｏｒ  Ｐｅｒｆｏｒｍｉｎｇ  Ｉｍａｇｅ  Ｇｕｉｄｅｄ  Ｐｒｏｃｅｄｕｒｅｓ  ｗｉｔｈｉｎ  ｔｈｅ  Ｅａｒ，Ｎｏｓｅ，Ｔｈｒｏａｔ  ａｎｄ  Ｐａｒａｎａｓａｌ  Ｓｉｎｕｓｅｓ」（２００７年９月６日公開）のうちの１つ以上の教示に従って更に構成されてもよい。これらの参考文献のそれぞれの開示内容は参照により本明細書に組み込まれる。
【００４１】
Ｃ．選択された解剖学的特徴を見るための内視鏡スイングプリズムの自動位置決め
上述したように、場合によって、外科手術中に外科医が、内視鏡の視線（ＬＳ）を患者（Ｐ）内の特定の解剖学的特徴に向けて正確に方向付けて、その特徴を内視鏡的に見ることを望む可能性がある。後述するように、上述の外科用ナビゲーションシステム（１００）の様々な構成要素は、外科医がシステムディスプレイ（１１４）を介して特定の解剖学的特徴を識別し、選択することを可能にし、システム（１００）は次いで、その視線（ＬＳ）が内視鏡観察用に解剖学的特徴に向けて方向付けられるように、スイングプリズム（３２）を自動的に方向付ける。
【００４２】
図７に示すように、内視鏡（１０）は、遠位シャフト端部（１６）が、上述の磁場発生器（１０６）によって生成される電磁場によって占有される三次元空間内に位置付けられるように、患者（Ｐ）内に挿入される。プロセッサ（１０８）は、空間を三次元座標系（１２０）と関連付け、空間内に位置する患者（Ｐ）の解剖学的特徴を座標系（１２０）と相関させる。概ね上述したように、プロセッサ（１０８）は、図７に示される点（ｘ１、ｙ１、ｚ１）によって表される座標系（１２０）内で遠位シャフト端部（１６）の位置を追跡し、ディスプレイ（１１４）のナビゲーション画像（１１８）を介して患者（Ｐ）の解剖学的特徴に対してリアルタイムでこの位置をグラフィカルに表示する。同じく概ね上述したように、内視鏡（１０）の第１のナビゲーションセンサ（４０）によって生成された信号は、座標系（１２０）内の遠位シャフト端部（１６）の位置を示すことができ、一方、第２のナビゲーションセンサ（４２）によって生成された信号は、座標系（１２０）内の内視鏡シャフト（１４）の回転方向、ひいてはスウィングプリズム（３２）を示すことができる。
【００４３】
図７に示される外科手術の間、外科医は、外科医が内視鏡（１０）で内視鏡的に見ることを望む、ディスプレイ（１１４）上のナビゲーション画像（１１８）によって示される特定の解剖学的特徴を識別することができる。操作制御部（１１２）の有無にかかわらず、外科医は、ディスプレイ（１１４）を使用して、プロセッサ（１０８）が座標系（１２０）内に座標（ｘ２、ｙ２、ｚ２）を有する対象点（ＰＯＩ）として選択された点を認識するように、ナビゲーション画像（１１８）上の解剖学的特徴を選択することができる。次いで、プロセッサ（１０８）は、座標系（１２０）内の遠位シャフト端部（１６）の位置を座標系（１２０）内の対象点（ＰＯＩ）の位置と比較する。同時に、プロセッサ（１０８）は、座標系（１２０）内の内視鏡シャフト（１４）の回転方向を、第２のナビゲーションセンサ（４２）から受信した信号を介して決定し、この回転方向を対象点（ＰＯＩ）の位置と比較する。プロセッサ（１０８）はまた、第２のモーター（７６）と連結されたエンコーダを介して、シャフト軸（Ａ）に対する枢動軸（Ａ１）と中心としたスイングプリズム（３２）及び視線（ＬＳ）の角度方向を決定する。他の実施例では、当業者には容易に明らかである様々な他の好適なタイプの感知機構が、枢動軸（Ａ１）を中心としたスイングプリズム（３２）の角度方向を検出するため、エンコーダの代わりに使用されてもよい。
【００４４】
上述の検出された情報により、プロセッサ（１０８）は、シャフト軸（Ａ）を中心とした内視鏡シャフト（１４）の必要な回転方向、及び座標系（１２０）内の対象点（ＰＯＩ）に向けて視線（ＬＳ）を方向付けるために必要な、枢動軸（Ａ１）を中心としたスイングプリズム（３２）の必要な角度方向を決定するためのアルゴリズムを実行する。このアルゴリズムの結果に基づいて、プロセッサ（１０８）は、モーターコントローラ（８０）に好適なコマンドを生成し、送信する。モーターコントローラ（８０）は、これらのコマンドを実行して、第１のモーター（７２）及び／又は第２のモーター（７６）を作動させて、シャフト（１４）を本体（１２）に対してシャフト軸（Ａ）を中心に回転させ、かつ／又はスイングプリズム（３２）をシャフト（１４）に対して枢動軸（Ａ１）を中心に枢動させるために、これらのコマンドを実行する。視線（ＬＳ）が対象点（ＰＯＩ）に向けて方向付けられた状態で、外科医は、対象点（ＰＯＩ）に対応する解剖学的特徴を内視鏡的に見ることができる。外科医が患者（Ｐ）内の別の解剖学的特徴を見ることを望む場合、外科医は、ディスプレイ（１１４）上の解剖学的特徴を選択してもよく、システム（１００）は、視線（ＬＳ）を新しい対象点（ＰＯＩ）に向けて方向付けるために、上記と同じ工程を実行してもよい。このようにして、外科用ナビゲーションシステム（１０）は、外科医が、内視鏡画像が患者（Ｐ）の所望の解剖学的特徴を示すように、内視鏡スイングプリズム（３２）が正確に方向付けられることを確実にすることを可能にする、自動方向指示プロセスを実装する。
【００４５】
ＩＩ．例示的な組み合わせ
以下の実施例は、本明細書の教示を組み合わせるか又は適用することができる、種々の非網羅的な方法に関する。以下の実施例は、本出願における又は本出願の後の出願におけるどの時点でも提示され得る、いずれの請求項の適用範囲をも限定することを目的としたものではない、と理解すべきである。一切の棄権を意図するものではない。以下の実施例は、単なる例示の目的で与えられるものに過ぎない。本明細書の種々の教示は、他の多くの方法で構成及び適用が可能であると考えられる。また、いくつかの変形形態では、以下の実施例において言及される特定の特徴を省略してよいことも、考えられる。したがって、本発明者又は本発明者の利益の継承者により、後日、そうである旨が明示的に示されない限り、以下に言及される態様又は特徴のいずれも重要なものとしてみなされるべきではない。以下に言及される特徴以外の更なる特徴を含む請求項が本出願において、又は本出願に関連する後の出願において示される場合、それらの更なる特徴は、特許性に関連するいかなる理由によっても追加されたものとして仮定されるべきではない。
【実施例１】
【００４６】
外科用ナビゲーションシステムであって、（ａ）内視鏡であって、内視鏡は、（ｉ）本体と、（ｉｉ）本体から遠位方向に延在し、遠位シャフト端部を有するシャフトと、（ｉｉｉ）シャフトを通って遠位方向に延在する光導管であって、光導管は、画像を光学的に伝送するように動作可能である、光導管と、（ｉｖ）遠位シャフト端部に配置された可動光学素子であって、可動光学素子は、視線を画定する視野を提供するように構成されており、可動光学素子は視野内で画像をキャプチャし、その画像を光導管へと近位方向に送信して、ユーザによる画像の可視化を可能にするように動作可能である、可動光学素子と、を含む、内視鏡と、（ｂ）内視鏡と連結された駆動機構であって、駆動機構は、可動光学素子をシャフトに対して移動させて視線の方向を調整するように動作可能である、駆動機構と、（ｃ）内視鏡に動作可能に関連付けられたナビゲーションセンサであって、ナビゲーションセンサは、患者内の遠位シャフト端部の位置に対応する信号を生成するように動作可能である、ナビゲーションセンサと、（ｄ）プロセッサであって、プロセッサは、ナビゲーションセンサ及び駆動機構と通信し、プロセッサは、ナビゲーションセンサから受信した信号に基づいて、患者内の遠位シャフト端部の位置を決定するように動作可能であり、プロセッサは、視線が患者内の選択された対象点に向けて方向付けられるように可動光学素子を位置付けるため、駆動機構に命令するように更に動作可能である、プロセッサと、を備える、外科用ナビゲーションシステム。
【実施例２】
【００４７】
シャフトが剛性である、実施例１に記載の外科用ナビゲーションシステム。
【実施例３】
【００４８】
内視鏡が、遠位シャフト端部に配置された窓を更に含み、内視鏡は、窓を通して画像をキャプチャするように動作可能である、実施例１〜２のいずれかに記載の外科用ナビゲーションシステム。
【実施例４】
【００４９】
内視鏡がレンズを更に含み、レンズは、可動光学素子と光導管の遠位端との間に配置されている、実施例１〜３のいずれかに記載の外科用ナビゲーションシステム。
【実施例５】
【００５０】
可動光学素子が、長手方向シャフト軸に対して横方向に延在する枢動軸を中心に枢動するように構成されている、実施例１〜４のいずれかに記載の外科用ナビゲーションシステム。
【実施例６】
【００５１】
駆動機構が、第１のアクチュエータ及び第２のアクチュエータを含み、第１のアクチュエータは、可動光学素子を本体に対してシャフト軸を中心に回転させるように動作可能であり、第２のアクチュエータは、可動光学素子をシャフトに対して枢動軸を中心に枢動させるように動作可能である、実施例５に記載の外科用ナビゲーションシステム。
【実施例７】
【００５２】
シャフトが、本体に対してシャフト軸を中心に回転可能であり、第１のアクチュエータは、シャフトを本体に対して回転させ、それによって、可動光学素子及び視野を、シャフト軸を中心に回転させるように動作可能である、実施例６に記載の外科用ナビゲーションシステム。
【実施例８】
【００５３】
第１のアクチュエータが第１のモーターを含み、第２のアクチュエータが第２のモーターを含む、実施例６〜７のいずれかに記載の外科用ナビゲーションシステム。
【実施例９】
【００５４】
ナビゲーションセンサが電磁センサを含む、実施例１〜８のいずれかに記載の外科用ナビゲーションシステム。
【実施例１０】
【００５５】
ナビゲーションセンサが導電性コイルを含む、実施例１〜９のいずれかに記載の外科用ナビゲーションシステム。
【実施例１１】
【００５６】
外科用ナビゲーションシステムが、プロセッサと通信するディスプレイを更に備え、ディスプレイは、ナビゲーションセンサによって提供される信号に基づいて、患者の解剖学的構造に対するシャフト遠位端の位置をリアルタイムで示すナビゲーション画像を描写するように動作可能である、実施例１〜１０のいずれかに記載の外科用ナビゲーションシステム。
【実施例１２】
【００５７】
プロセッサが、ディスプレイを介して提供された入力として対象点を受け入れるように動作可能であり、対象点は、ナビゲーション画像によって示される患者の解剖学的特徴に対応する、実施例１１に記載の外科用ナビゲーションシステム。
【実施例１３】
【００５８】
ナビゲーション画像がコンピュータ断層撮影（ＣＴ）画像を含む、実施例１１〜１２のいずれかに記載の外科用ナビゲーションシステム。
【実施例１４】
【００５９】
ナビゲーション画像が三次元画像を含み、対象点が三次元座標系に対応する座標を有する、実施例１１〜１３のいずれかに記載の外科用ナビゲーションシステム。
【実施例１５】
【００６０】
ディスプレイが内視鏡の光導管とも通信し、ディスプレイは、内視鏡によってキャプチャされた画像を表示するように更に動作可能である、実施例１１〜１４のいずれかに記載の外科用ナビゲーションシステム。
【実施例１６】
【００６１】
外科用ナビゲーションシステムであって、（ａ）内視鏡であって、内視鏡は、（ｉ）本体と、（ｉｉ）長手方向シャフト軸に沿って本体から遠位方向に延在するシャフトであって、シャフトは遠位シャフト端部を含む、シャフトと、（ｉｉｉ）シャフトを通って遠位方向に延在する光導管であって、光導管は、画像を光学的に伝送するように動作可能である、光導管と、（ｉｖ）遠位シャフト端部に配置された可動光学素子であって、可動光学素子は、シャフト軸に対して横方向に延在する枢動軸を中心に枢動するように構成されており、可動光学素子は、視線を画定する視野を提供するように構成されており、可動光学素子は、視野内の画像をキャプチャし、その画像を近位方向に光導管へと送信して、ユーザによる画像の可視化を可能にする、可動光学素子と、を含む、内視鏡と、（ｂ）内視鏡と連結された駆動機構であって、駆動機構は、視線の方向を調整するため、シャフトに対して可動光学素子を移動させるように動作可能であり、駆動機構は、（ｉ）第１のアクチュエータであって、第１のアクチュエータは、可動光学素子を本体に対してシャフト軸を中心に回転させるように動作可能ある、第１のアクチュエータと、（ｉｉ）第２のアクチュエータであって、第２のアクチュエータは、可動光学素子をシャフトに対して枢動軸を中心に枢動させるように動作可能である、第２のアクチュエータと、を含む、駆動機構と、を備える、外科用ナビゲーションシステム。
【実施例１７】
【００６２】
プロセッサを更に備え、プロセッサは、視線が座標系内の選択された対象点に向けて方向付けられるように、第１のアクチュエータ及び第２のアクチュエータを制御して、可動光学素子を位置付けるように動作可能である、実施例１６に記載の外科用ナビゲーションシステム。
【実施例１８】
【００６３】
内視鏡に動作可能に関連付けられたナビゲーションセンサを更に備え、ナビゲーションセンサは、座標系内の遠位シャフト端部の位置に対応する信号をプロセッサに送信するように動作可能であり、プロセッサは、その信号に基づいて第１のアクチュエータ及び第２のアクチュエータを制御するように動作可能である、実施例１６〜１７のいずれかに記載の外科用ナビゲーションシステム。
【実施例１９】
【００６４】
患者に対する外科手術中に外科用ナビゲーションシステムを操作する方法であって、外科用ナビゲーションシステムは、視線を画定する視野を提供する可動光学素子を有する内視鏡を含み、外科用ナビゲーションシステムは、内視鏡と動作可能に連結された駆動機構を更に含み、方法は、（ａ）外科用ナビゲーションシステムのディスプレイ上にナビゲーション画像を描写することであって、ナビゲーション画像は、患者の解剖学的構造に対する内視鏡の遠位端の位置をリアルタイムで示す、ことと、（ｂ）ディスプレイを介してユーザ入力を受信することであって、ユーザ入力は、ナビゲーション画像によって示される患者の解剖学的特徴に対応する対象点を指定する、ことと、（ｃ）プロセッサを用いて、内視鏡の遠位端の位置をユーザ入力によって指定された対象点と比較することと、（ｄ）比較に基づいて、プロセッサを用いて駆動機構を制御して、視線がユーザ入力によって指定された対象点に向けて方向付けられる位置に、可動光学素子を移動させることと、を含む、方法。
【実施例２０】
【００６５】
内視鏡が長手方向軸を含み、方法は、プロセッサを用いて、長手方向軸を中心とした対象点に対する内視鏡の回転方向を決定することを更に含み、駆動機構を制御する工程は、回転方向の決定に更に基づく、実施例１９に記載の方法。
【実施例２１】
【００６６】
可動光学素子を移動させるように駆動機構を制御することが、第１の軸を中心に可動光学素子を回転させることと、第１の軸に対して横方向に延在する第２の軸を中心に可動光学素子を枢動させることと、を含む、実施例１９〜２０のいずれかに記載の方法。
【００６７】
ＩＩＩ．その他
本明細書に記載の教示、表現要素、実施形態、実施例などのうちのいずれか１つ又は２つ以上を、本明細書に記載の他の教示、表現要素、実施形態、実施例などのうちのいずれか１つ又は２つ以上と組み合わせることができる点が理解されるべきである。したがって、上記の教示、表現、実施形態、実施例など）、互いに対して独立して考慮されるべきではない。本明細書における教示を鑑みると、本明細書の教示を組み合わせることができる種々の好適な方法が、当業者には直ちに明らかとなろう。このような修正形態及び変形形態は、特許請求の範囲の範囲に含まれるものとする。
【００６８】
参照により本明細書に組み込まれると言及されたいかなる特許、公報、又は他の開示内容も、全体的に又は部分的に、組み込まれた内容が現行の定義、見解、又は本明細書に記載される他の開示内容とあくまで矛盾しない範囲でのみ本明細書に組み込まれる、と理解されなければならない。それ自体、また必要な範囲で、本明細書に明瞭に記載される開示内容は、参考として本明細書に組み込まれているあらゆる矛盾する記載に優先するものとする。現行の定義、見解、又は本明細書に記載される他の開示内容と矛盾する任意の内容、又はそれらの部分は本明細書に参考として組み込まれるものとするが、参照内容と現行の開示内容との間に矛盾が生じない範囲においてのみ、参照されるものとする。
【００６９】
上述の装置の変形形態は、医療専門家により行われる従来の医療処置及び手術における用途のみではなく、ロボット支援された医療処置及び手術における用途をも有することができる。単なる例として、本明細書の様々な教示は、ロボット外科用システム、例えばＩｎｔｕｉｔｉｖｅ  Ｓｕｒｇｉｃａｌ，Ｉｎｃ．（Ｓｕｎｎｙｖａｌｅ，Ｃａｌｉｆｏｒｎｉａ）によるＤＡＶＩＮＣＩ（商標）システムなどに容易に組み込むことができる。同様に、当業者であれば、本明細書における様々な教示を、以下のうちのいずれかの様々な教示と容易に組み合わせることができることを認識するであろう：その開示が参照により本明細書に組み込まれる、１９９８年８月１１日に交付された「Ａｒｔｉｃｕｌａｔｅｄ  Ｓｕｒｇｉｃａｌ  Ｉｎｓｔｒｕｍｅｎｔ  Ｆｏｒ  Ｐｅｒｆｏｒｍｉｎｇ  Ｍｉｎｉｍａｌｌｙ  Ｉｎｖａｓｉｖｅ  Ｓｕｒｇｅｒｙ  Ｗｉｔｈ  Ｅｎｈａｎｃｅｄ  Ｄｅｘｔｅｒｉｔｙ  ａｎｄ  Ｓｅｎｓｉｔｉｖｉｔｙ」と題する米国特許第５，７９２，１３５号；１９９８年１０月６日発行の、「Ｒｅｍｏｔｅ  Ｃｅｎｔｅｒ  Ｐｏｓｉｔｉｏｎｉｎｇ  Ｄｅｖｉｃｅ  ｗｉｔｈ  Ｆｌｅｘｉｂｌｅ  Ｄｒｉｖｅ」と題する、米国特許第５，８１７，０８４号、その開示は参照により本明細書に組み込まれる；１９９９年３月２日に発行された、「Ａｕｔｏｍａｔｅｄ  Ｅｎｄｏｓｃｏｐｅ  Ｓｙｓｔｅｍ  ｆｏｒ  Ｏｐｔｉｍａｌ  Ｐｏｓｉｔｉｏｎｉｎｇ」と題する、米国特許第５，８７８，１９３号、その開示は参照により本明細書に組み込まれる；２００１年５月１５日に発行された、「Ｒｏｂｏｔｉｃ  Ａｒｍ  ＤＬＵＳ  ｆｏｒ  Ｐｅｒｆｏｒｍｉｎｇ  Ｓｕｒｇｉｃａｌ  Ｔａｓｋｓ」と題する、米国特許第６，２３１，５６５号、その開示は参照により本明細書に組み込まれる；２００４年８月３１日に発行された、「Ｒｏｂｏｔｉｃ  Ｓｕｒｇｉｃａｌ  Ｔｏｏｌ  ｗｉｔｈ  Ｕｌｔｒａｓｏｕｎｄ  Ｃａｕｔｅｒｉｚｉｎｇ  ａｎｄ  Ｃｕｔｔｉｎｇ  Ｉｎｓｔｒｕｍｅｎｔ」と題する、米国特許第６，７８３，５２４号、その開示は参照により本明細書に組み込まれる；２００２年４月２日に発行された、「Ａｌｉｇｎｍｅｎｔ  ｏｆ  Ｍａｓｔｅｒ  ａｎｄ  Ｓｌａｖｅ  ｉｎ  ａ  Ｍｉｎｉｍａｌｌｙ  Ｉｎｖａｓｉｖｅ  Ｓｕｒｇｉｃａｌ  Ａｐｐａｒａｔｕｓ」と題する、米国特許第６，３６４，８８８号、その開示は参照により本明細書に組み込まれる；２００９年４月２８日に発行された、「Ｍｅｃｈａｎｉｃａｌ  Ａｃｔｕａｔｏｒ  Ｉｎｔｅｒｆａｃｅ  Ｓｙｓｔｅｍ  ｆｏｒ  Ｒｏｂｏｔｉｃ  Ｓｕｒｇｉｃａｌ  Ｔｏｏｌｓ」と題する、米国特許第７，５２４，３２０号、その開示は参照により本明細書に組み込まれる；２０１０年４月６日に発行された、「Ｐｌａｔｆｏｒｍ  Ｌｉｎｋ  Ｗｒｉｓｔ  Ｍｅｃｈａｎｉｓｍ」と題する、米国特許第７，６９１，０９８号、その開示は参照により本明細書に組み込まれる；２０１０年１０月５日発行の、「Ｒｅｐｏｓｉｔｉｏｎｉｎｇ  ａｎｄ  Ｒｅｏｒｉｅｎｔａｔｉｏｎ  ｏｆ  Ｍａｓｔｅｒ／Ｓｌａｖｅ  Ｒｅｌａｔｉｏｎｓｈｉｐ  ｉｎ  Ｍｉｎｉｍａｌｌｙ  Ｉｎｖａｓｉｖｅ  Ｔｅｌｅｓｕｒｇｅｒｙ」と題する、米国特許第７，８０６，８９１号、その���示は参照により本明細書に組み込まれる；２０１４年９月３０日発行の、「Ａｕｔｏｍａｔｅｄ  Ｅｎｄ  Ｅｆｆｅｃｔｏｒ  Ｃｏｍｐｏｎｅｎｔ  Ｒｅｌｏａｄｉｎｇ  Ｓｙｓｔｅｍ  ｆｏｒ  Ｕｓｅ  ｗｉｔｈ  ａ  Ｒｏｂｏｔｉｃ  Ｓｙｓｔｅｍ」と題する、米国特許第８，８４４，７８９号、その開示は参照により本明細書に組み込まれる；２０１４年９月２日に発行された、「Ｒｏｂｏｔｉｃａｌｌｙ−Ｃｏｎｔｒｏｌｌｅｄ  Ｓｕｒｇｉｃａｌ  Ｉｎｓｔｒｕｍｅｎｔｓ」と題する、米国特許第８，８２０，６０５号、その開示は参照により本明細書に組み込まれる；２０１３年１２月３１日に発行された、「Ｓｈｉｆｔａｂｌｅ  Ｄｒｉｖｅ  Ｉｎｔｅｒｆａｃｅ  ｆｏｒ  Ｒｏｂｏｔｉｃａｌｌｙ−Ｃｏｎｔｒｏｌｌｅｄ  Ｓｕｒｇｉｃａｌ  Ｔｏｏｌ」と題する、米国特許第８，６１６，４３１号、その開示は参照により本明細書に組み込まれる；２０１３年１１月５日に発行された、「Ｓｕｒｇｉｃａｌ  Ｓｔａｐｌｉｎｇ  Ｉｎｓｔｒｕｍｅｎｔｓ  ｗｉｔｈ  Ｃａｍ−Ｄｒｉｖｅｎ  Ｓｔａｐｌｅ  Ｄｅｐｌｏｙｍｅｎｔ  Ａｒｒａｎｇｅｍｅｎｔｓ」と題する、米国特許第８，５７３，４６１号、その開示は参照により本明細書に組み込まれる；２０１３年１２月１０日に発行された、「Ｒｏｂｏｔｉｃａｌｌｙ−Ｃｏｎｔｒｏｌｌｅｄ  Ｍｏｔｏｒｉｚｅｄ  Ｓｕｒｇｉｃａｌ  Ｅｎｄ  Ｅｆｆｅｃｔｏｒ  Ｓｙｓｔｅｍ  ｗｉｔｈ  Ｒｏｔａｒｙ  Ａｃｔｕａｔｅｄ  Ｃｌｏｓｕｒｅ  Ｓｙｓｔｅｍｓ  Ｈａｖｉｎｇ  Ｖａｒｉａｂｌｅ  Ａｃｔｕａｔｉｏｎ  Ｓｐｅｅｄｓ」と題する、米国特許第８，６０２，２８８号、その開示は参照により本明細書に組み込まれる；２０１６年４月５日に発行された、「Ｒｏｂｏｔｉｃａｌｌｙ−Ｃｏｎｔｒｏｌｌｅｄ  Ｓｕｒｇｉｃａｌ  Ｉｎｓｔｒｕｍｅｎｔ  ｗｉｔｈ  Ｓｅｌｅｃｔｉｖｅｌｙ  Ａｒｔｉｃｕｌａｔａｂｌｅ  Ｅｎｄ  Ｅｆｆｅｃｔｏｒ」と題された米国特許第９，３０１，７５９号、その開示は参照により本明細書に組み込まれる；２０１４年７月２２日に発行された、「Ｒｏｂｏｔｉｃａｌｌｙ−Ｃｏｎｔｒｏｌｌｅｄ  Ｓｕｒｇｉｃａｌ  Ｅｎｄ  Ｅｆｆｅｃｔｏｒ  Ｓｙｓｔｅｍ」と題する、米国特許第８，７８３，５４１号、その開示は参照により本明細書に組み込まれる；２０１３年７月９日に発行された、「Ｄｒｉｖｅ  Ｉｎｔｅｒｆａｃｅ  ｆｏｒ  Ｏｐｅｒａｂｌｙ  Ｃｏｕｐｌｉｎｇ  ａ  Ｍａｎｉｐｕｌａｔａｂｌｅ  Ｓｕｒｇｉｃａｌ  Ｔｏｏｌ  ｔｏ  ａ  Ｒｏｂｏｔ」と題する、米国特許第８，４７９，９６９号、その開示は参照により本明細書に組み込まれる；２０１４年８月１２日に発行された、「Ｒｏｂｏｔｉｃａｌｌｙ−Ｃｏｎｔｒｏｌｌｅｄ  Ｃａｂｌｅ−Ｂａｓｅｄ  Ｓｕｒｇｉｃａｌ  Ｅｎｄ  Ｅｆｆｅｃｔｏｒｓ」と題する、米国特許第８，８００，８３８号、その開示は参照により本明細書に組み込まれる；及び／又は２０１３年１１月５日に発行された、「Ｒｏｂｏｔｉｃａｌｌｙ−Ｃｏｎｔｒｏｌｌｅｄ  Ｓｕｒｇｉｃａｌ  Ｅｎｄ  Ｅｆｆｅｃｔｏｒ  Ｓｙｓｔｅｍ  ｗｉｔｈ  Ｒｏｔａｒｙ  Ａｃｔｕａｔｅｄ  Ｃｌｏｓｕｒｅ  Ｓｙｓｔｅｍｓ」と題する、米国特許第８，５７３，４６５号、その開示は参照により本明細書に組���込まれる。
【００７０】
上述のデバイスの変形形態は、１回の使用後に処分するように設計することができ、又はそれらは、複数回使用するように設計することができる。変形形態は、一方又はその両方の場合において、少なくとも１回の使用後に再利用のために再調整されてよい。再調整は、装置の分解工程、それに続く特定の部品の洗浄又は交換工程、及びその後の再組み立て工程の、任意の組み合わせを含み得る。特に、装置のいくつかの変形形態は分解することができ、また、装置の任意の数の特定の部分若しくは部品を、任意の組み合わせで選択的に交換又は取り外してもよい。特定の部品の洗浄及び／又は交換後、デバイスのいくつかの変形形態を、再調整用の施設において、又は処置の直前に使用者によってのいずれかで、その後の使用のために再組み立てすることができる。当業者であれば、デバイスの再調整において、分解、洗浄／交換、及び再組み立てのための様々な技術を利用することができることを理解するであろう。このような技術の使用、及び結果として得られる再調整されたデバイスは、全て本出願の範囲内にある。
【００７１】
単なる例として、本明細書に記載される変形形態は、処置前及び／又は処置後に滅菌されてもよい。１つの滅菌技術では、装置をプラスチック製又はＴＹＶＥＫ製のバックなど、閉鎖及び封止された容器に配置する。次いで、容器及び装置を、γ線、Ｘ線、又は高エネルギー電子線などの、容器を透過し得る放射線場に置いてもよい。放射線は、装置上及び容器内の細菌を死滅させ得る。次に、滅菌された装置を、後の使用のために、滅菌容器内に保管してもよい。β線若しくはγ線、エチレンオキシド、又は水蒸気が挙げられるがこれらに限定されない、当該技術分野で周知の他の任意の技術を用いて、デバイスを滅菌してもよい。
【００７２】
以上、本発明の様々な実施形態を示し、記載したが、当業者による適切な改変により、本発明の範囲から逸脱することなく、本明細書に記載の方法及びシステムの更なる適合化を実現することができる。このような可能な改変のうちのいくつかについて述べたが、他の改変も当業者には明らかとなるであろう。例えば、上記の実施例、実施形態、形状、材料、寸法、比率、工程などは例示的なものであって、必須のものではない。したがって、本発明の範囲は、以下の特許請求の範囲の観点から考慮されるべきものであり、本明細書及び図面において図示され、説明された構造及び動作の細部に限定されないものとして、理解されたい。
【００７３】
〔実施の態様〕
（１）  外科用ナビゲーションシステムであって、
（ａ）内視鏡であって、前記内視鏡は、
（ｉ）本体と、
（ｉｉ）前記本体から遠位方向に延在し、遠位シャフト端部を有する、シャフトと、
（ｉｉｉ）前記シャフトを通って遠位方向に延在する光導管であって、前記光導管は、画像を光学的に送信するように動作可能である、光導管と、
（ｉｖ）前記遠位シャフト端部に配置された可動光学素子であって、前記可動光学素子は、視線を画定する視野を提供するように構成されており、前記可動光学素子は、前記視野内の画像をキャプチャし、前記画像を前記光導管へと近位方向に送信して、ユーザによる前記画像の可視化を可能にするように動作可能である、可動光学素子と、を含む、内視鏡と、
（ｂ）前記内視鏡と連結された駆動機構であって、前記駆動機構は、前記可動光学素子を前記シャフトに対して移動させて、前記視線の方向を調整するように動作可能である、駆動機構と、
（ｃ）前記内視鏡に動作可能に関連付けられたナビゲーションセンサであって、前記ナビゲーションセンサは、患者内の前記遠位シャフト端部の位置に対応する信号を生成するように動作可能である、ナビゲーションセンサと、
（ｄ）プロセッサであって、前記プロセッサは、前記ナビゲーションセンサ及び前記駆動機構と通信する、プロセッサと、を備え、
前記プロセッサは、前記ナビゲーションセンサから受信した前記信号に基づいて、前記患者内の前記遠位シャフト端部の位置を決定するように動作可能であり、
前記プロセッサは、前記視線が前記患者内の選択された対象点に向けて方向付けられるように前記可動光学素子を位置付けるため、前記駆動機構に命令するように更に動作可能である、外科用ナビゲーションシステム。
（２）  前記シャフトが剛性である、実施態様１に記載の外科用ナビゲーションシステム。
（３）  前記内視鏡が、前記遠位シャフト端部に配置された窓を更に含み、前記内視鏡は、前記窓を通して前記画像をキャプチャするように動作可能である、実施態様１に記載の外科用ナビゲーションシステム。
（４）  前記内視鏡がレンズを更に含み、前記レンズは、前記可動光学素子と前記光導管の遠位端との間に配置されている、実施態様１に記載の外科用ナビゲーションシステム。
（５）  前記可動光学素子が、長手方向シャフト軸に対して横方向に延在する枢動軸を中心に枢動するように構成されている、実施態様１に記載の外科用ナビゲーションシステム。
【００７４】
（６）  前記駆動機構が、第１のアクチュエータ及び第２のアクチュエータを含み、前記第１のアクチュエータは、前記可動光学素子を前記本体に対して前記シャフト軸を中心に回転させるように動作可能であり、前記第２のアクチュエータは、前記可動光学素子を前記シャフトに対して前記枢動軸を中心に枢動させるように動作可能である、実施態様５に記載の外科用ナビゲーションシステム。
（７）  前記シャフトが、前記本体に対して前記シャフト軸を中心に回転可能であり、前記第１のアクチュエータは、前記シャフトを前記本体に対して回転させ、それによって、前記可動光学素子及び前記視野を、前記シャフト軸を中心に回転させるように動作可能である、実施態様６に記載の外科用ナビゲーションシステム。
（８）  前記第１のアクチュエータが第１のモーターを含み、前記第２のアクチュエータが第２のモーターを含む、実施態様６に記載の外科用ナビゲーションシステム。
（９）  前記ナビゲーションセンサが電磁センサを含む、実施態様１に記載の外科用ナビゲーションシステム。
（１０）  前記電磁センサが導電性コイルを含む、実施態様９に記載の外科用ナビゲーションシステム。
【００７５】
（１１）  前記外科用ナビゲーションシステムが、前記プロセッサと通信するディスプレイを更に備え、前記ディスプレイは、前記ナビゲーションセンサによって提供される前記信号に基づいて、前記患者の解剖学的構造に対する前記シャフト遠位端の前記位置をリアルタイムで示すナビゲーション画像を描写するように動作可能である、実施態様１に記載の外科用ナビゲーションシステム。
（１２）  前記プロセッサが、前記ディスプレイを介して提供された入力として前記対象点を受け入れるように動作可能であり、前記対象点は、前記ナビゲーション画像によって示される前記患者の解剖学的特徴に対応する、実施態様１１に記載の外科用ナビゲーションシステム。
（１３）  前記ナビゲーション画像がコンピュータ断層撮影（ＣＴ）画像を含む、実施態様１１に記載の外科用ナビゲーションシステム。
（１４）  前記ナビゲーション画像が三次元画像を含み、前記対象点が三次元座標系に対応する座標を有する、実施態様１１に記載の外科用ナビゲーションシステム。
（１５）  前記ディスプレイが前記内視鏡の前記光導管とも通信し、前記ディスプレイは、前記内視鏡によってキャプチャされた前記画像を表示するように更に動作可能である、実施態様１１に記載の外科用ナビゲーションシステム。
【００７６】
（１６）  外科用ナビゲーションシステムであって、
（ａ）内視鏡であって、前記内視鏡は、
（ｉ）本体と、
（ｉｉ）長手方向シャフト軸に沿って前記本体から遠位方向に延在するシャフトであって、前記シャフトは、遠位シャフト端部を含む、シャフトと、
（ｉｉｉ）前記シャフトを通って遠位方向に延在する光導管であって、前記光導管は、画像を光学的に送信するように動作可能である、光導管と、
（ｉｖ）前記遠位シャフト端部に配置された可動光学素子であって、前記可動光学素子は、前記シャフト軸に対して横方向に延在する枢動軸を中心に枢動するように構成されており、前記可動光学素子は、視線を画定する視野を提供するように構成されている、可動光学素子と、を含み、
前記可動光学素子は、前記視野内の画像をキャプチャし、前記画像を前記光導管へと近位方向に送信して、ユーザによる前記画像の可視化を可能にするように動作可能である、内視鏡と、
（ｂ）前記内視鏡と連結された駆動機構であって、前記駆動機構は、前記可動光学素子を前記シャフトに対して移動させて前記視線の方向を調整するように動作可能であり、前記駆動機構は、
（ｉ）第１のアクチュエータであって、前記第１のアクチュエータは、前記可動光学素子を前記本体に対して前記シャフト軸を中心に回転させるように動作可能である、第１のアクチュエータと、
（ｉｉ）第２のアクチュエータであって、前記第２のアクチュエータは、前記可動光学素子を前記シャフトに対して前記枢動軸を中心に枢動させるように動作可能である、第２のアクチュエータと、を含む、駆動機構と、を備える、外科用ナビゲーションシステム。
（１７）  プロセッサを更に備え、前記プロセッサは、前記視線が座標系内の選択された対象点に向けて方向付けられるように、前記第１のアクチュエータ及び前記第２のアクチュエータを制御して、前記可動光学素子を位置付けるように動作可能である、実施態様１６に記載の外科用ナビゲーションシステム。
（１８）  前記内視鏡に動作可能に関連付けられたナビゲーションセンサを更に備え、前記ナビゲーションセンサは、前記座標系内の前記遠位シャフト端部の位置に対応する信号を前記プロセッサに送信するように動作可能であり、前記プロセッサは、前記信号に基づいて前記第１のアクチュエータ及び前記第２のアクチュエータを制御するように動作可能である、実施態様１７に記載の外科用ナビゲーションシステム。
（１９）  患者に対する外科手術中に外科用ナビゲーションシステムを操作する方法であって、前記外科用ナビゲーションシステムは、視線を画定する視野を提供する可動光学素子を有する内視鏡を含み、前記外科用ナビゲーションシステムは、前記内視鏡と動作可能に連結された駆動機構を更に含み、前記方法は、
（ａ）前記外科用ナビゲーションシステムのディスプレイ上にナビゲーション画像を描写することであって、前記ナビゲーション画像は、前記患者の解剖学的構造に対する前記内視鏡の遠位端の位置をリアルタイムに示す、ことと、
（ｂ）前記ディスプレイを介してユーザ入力を受信することであって、前記ユーザ入力は、前記ナビゲーション画像によって示される前記患者の解剖学的特徴に対応する対象点を指定する、ことと、
（ｃ）プロセッサを用いて、前記内視鏡の前記遠位端の前記位置を前記ユーザ入力によって指定された前記対象点と比較することと、
（ｄ）前記比較に基づいて、前記プロセッサを用いて前記駆動機構を制御して、前記視線が前記ユーザ入力によって指定された前記対象点に向けて方向付けられる位置に、前記可動光学素子を移動させることと、を含む、方法。
（２０）  前記内視鏡が長手方向軸を含み、前記方法は、前記プロセッサを用いて、前記長手方向軸を中心とした前記対象点に対する前記内視鏡の回転方向を決定することを更に含み、前記駆動機構を制御する前記工程は、前記回転方向の前記決定に更に基づく、実施態様１９に記載の方法。
【図１】
2021525613.tif 000003
【図２】
2021525613.tif 000004
【図３】
2021525613.tif 000005
【図４】
2021525613.tif 000006
【図５】
2021525613.tif 000007
【図６】
2021525613.tif 000008
【図７】
2021525613.tif 000009
【国際調査報告】
2021525613.tif 000010
2021525613.tif 000011